(57)【要約】【課題】 室内側においてレバーハンドルの操作が困難となったときに室内側からラッチを解除して閉じ込みを防止する。【解決手段】  中心に形成した角形の取付孔５１に両端に室内側および室外側のレバーハンドル６を固着したハンドル角芯６１を嵌挿するとともにラッチボルト３の後部に形成した係止プレート３２の前方側に係止する係合部５３を外周の一部に突出したレバーカム５が錠箱１内に回転可能に配置されており、且つ中心に形成した角形の取付孔に室内側の解除摘９を固着した角芯８２を嵌挿するとともにラッチボルト３の後部に形成した係止プレート３２の前方側に前記レバーカム５の係合部５３に干渉することなしに係合する係合部８３を外周に突出した解除摘レバー８を錠箱１内に回転可能に配置した。【選択図】  図１
2013023896.tif 000002
【特許請求の範囲】
【請求項１】
前面に前板を備えて扉の小口に形成した堀り込みに嵌め込まれる錠箱内に、先端に前記扉の枠体に配置した受け具に嵌脱するラッチヘッドを備えて前後進可能に且つ後端に配置されたばねにより先端方向へ付勢されたラッチボルトが配置されているとともに、中心に形成した角形の取付孔に両端に室内側および室外側のレバーハンドルを固着したハンドル角芯を嵌挿するとともに前記ラッチボルトの後部に形成した係止プレートの前方側に係止する係合部を外周の一部に突出したレバーカムが前記錠箱内に回転可能に配置されており、且つ中心に形成した角形の取付孔に室内側の解除摘を固着した角芯を嵌挿するとともに前記ラッチボルトの後部に形成した係止プレートの前方側に前記レバーカムの係合部に干渉することなしに係合する係合部を外周に突出した解除摘レバーを前記錠箱内に回転可能に配置したことを特徴とするラッチ錠。
【請求項２】
前記レバーカムと解除摘レバーとが前記ラッチボルトの異なる長さ位置に配置された異なる係止プレートの前方側にそれぞれ係合していることを特徴とする請求項１記載のラッチ錠。
【請求項３】
室内側にサムターンレバーを固着したレバー角芯を嵌挿する角形の取付孔を有して錠箱に回動可能に配設されており、前記サムターンレバーを回転操作してその外周の一部に突出した係合部を前記レバーカムに突出させたもう１つの係合部に係脱させてレバーカムの回転を阻止および許容して室内側から施解錠するサムターン錠を備えたことを特徴とする請求項１又は２記載のラッチ錠。
【発明の詳細な説明】
【技術分野】
【０００１】
本発明は、扉の室内側および室外側に配置したハンドルの操作によりラッチボルトを前後進させて先端に配置した錠箱の前面から突出させて扉枠に配置した受け具に嵌合しているラッチヘッドを没入させることにより解錠させるラッチ錠に関するものである。
【背景技術】
【０００２】
従来から、扉の室内側および室外側に配置したハンドルの操作によりラッチボルトを前後進させて先端に配置した錠箱の前面から突出させたラッチヘッドを没入させることにより解錠させるラッチ錠が知られており、例えば室内のトイレや部屋、浴室などの室内扉に用いられている。
【０００３】
このラッチ錠は例えば図１２乃至図１４に示すように、前面に前板１１と取付板１２を備えて扉２の小口に形成した堀り込み（図示せず）に嵌め込まれる錠箱１に、先端に扉２の枠体に配置した受け具（図示せず）に嵌脱するラッチヘッド３１を備えて前後進可能に且つ後端に配置されたばね４により先端方向へ付勢されたラッチボルト３が配置されている。
【０００４】
そして、前記錠箱１内には、前記ラッチヘッド３１の後方付近に、前記ラッチヘッド３１を前記ばね４の付勢力に抗して後方向へ移動させるレバーカム５が配置されている。
【０００５】
このレバーカム５は、中心に両端に室内側および室外側のレバーハンドル６を固着したハンドル角芯６１を嵌挿する角形の取付孔５１を有して錠箱１に回動可能に配設されており、外周の一部に突出した係合部５２を前記ラッチボルト３の後部に形成した係止プレート３２の前方側に係止状態で配置しており、室内側または室外側のレバーハンドル６を回転操作してレバーカム５を回転させることによりラッチボルト３をばね４の付勢力に抗して後退させ、先端のラッチヘッド３１を前板１１から錠箱１内に没入させて、扉枠に配置した受け具から抜脱することにより解錠し、そのままの状態でレバーハンドル６を前方へ押すかまたは手前に引いて扉２を開放させるものである。
【０００６】
また、このラッチ錠は、トイレや個室、浴室などのように入室した後に施錠状態を確保する必要性から、施錠状態で室内側からレバーカム５の回転を阻止する、所謂、サムターン錠が設置されている。
【０００７】
このサムターン錠は、室内側にサムターンレバー７を固着したレバー角芯７２を嵌挿する角形の取付孔７３を有して錠箱１に回動可能に配設されており、前記サムターンレバー７を回転操作してその外周の一部に突出した係合部７４を前記レバーカム５に突出させたもう１つの係合部５３に係脱させてレバーカム５の回転を阻止および許容して室内側から施解錠するものである。
【０００８】
ところで、前記ラッチ錠の従来の問題点は、サムターン錠を施錠した状態で室外に出た場合に閉め出されてしまったり、解錠操作がわからない幼児等が誤ってサムターン錠を内側から施錠した場合である。
【０００９】
そこで、例えばコインやドライバーなどの解除具を用いて外側からサムターン錠を解除させる機構を持ったものが一般に用いられており、更に、特開２０１０−７１０２４号公報に提示されているようにサムターン錠が施錠状態では扉を閉止することができないようにしたラッチ錠も提示されている。また、前記従来のラッチ錠において室内に入ってサム
ターン錠を施錠した状態で緊急脱出するのに前記サムターン錠を解錠しないでレバーハンドルを操作してラッチ錠を解錠して室外に脱出可能なラッチ錠が特開２００３−２６２０６１号公報に提示されている。
【００１０】
しかしながら、前記ラッチ錠においてサムターン錠の有無や施解錠の状態に拘わらずラッチ錠を解錠するにはレバーハンドルを操作してばねにより先端方向へ付勢されているラッチボルトを後退させる必要があり、例えば地震時において室内に居る状態で、落下物等により室内側のレバーハンドルが破損したりしてレバーカムの回転操作が不能になった場合にはラッチボルトを後退させることが困難となり、室内に閉じ込められてしまうという問題があり、このような事態に対応可能なラッチ錠は見受けられない。
【先行技術文献】
【特許文献】
【００１１】
【特許文献１】特開２０１０−７１０２４号公報
【特許文献２】特開２００３−２６２０６１号公報
【発明の概要】
【発明が解決しようとする課題】
【００１２】
地震等により室内側のレバーハンドルの操作が不能になった場合にも室内側からラッチボルトを後退させて、室内に閉じ込められてしまうという問題を解決することを課題とする。
【課題を解決するための手段】
【００１３】
そこで、本発明は、前面に前板を備えて扉の小口に形成した堀り込みに嵌め込まれる錠箱内に、先端に前記扉の枠体に配置した受け具に嵌脱するラッチヘッドを備えて前後進可能に且つ後端に配置されたばねにより先端方向へ付勢されたラッチボルトが配置されているとともに、中心に形成した角形の取付孔に両端に室内側および室外側のレバーハンドルを固着したハンドル角芯を嵌挿するとともに前記ラッチボルトの後部に形成した係止プレートの前方側に係止する係合部を外周の一部に突出したレバーカムが前記錠箱内に回転可能に配置されており、且つ中心に形成した角形の取付孔に室内側の解除摘を固着した角芯を嵌挿するとともに前記ラッチボルトの後部に形成した係止プレートの前方側に前記レバーカムの係合部に干渉することなしに係合する係合部を外周に突出した解除摘レバーを前記錠箱内に回転可能に配置したことを特徴とする。
【００１４】
本発明によれば、室内側に配置した解除摘を操作して解除摘レバーを回転させてこの解除摘レバーに設けられた係合部によりラッチボルトをばねの付勢力に抗して後退させ、先端のラッチヘッドを前板から錠箱内に没入させて、扉枠に配置した受け具から抜脱することにより解錠し、そのままの状態で扉を開放させることにより、閉じ込みを防止する。
【００１５】
また、本発明において、室内側にサムターンレバーを固着したレバー角芯を嵌挿する角形の取付孔を有して錠箱に回動可能に配設されており、前記サムターンレバーを回転操作してその外周の一部に突出した係合部を前記レバーカムに突出させたもう１つの係合部に係脱させてレバーカムの回転を阻止および許容して室内側から施解錠するサムターン錠を備えた場合にも有効に使用することができる。
【発明の効果】
【００１６】
ラッチ錠を施錠した状態で室内に居る際に、室内側のレバーハンドルの使用が困難となった場合にも、解除摘を操作することによりレバーハンドルを使用せずにラッチボルトを後退させてラッチ錠を解除させることができる。
【図面の簡単な説明】
【００１７】
【図１】本発明における好ましい実施の形態の使用状態を示す説明図である。
【図２】図１に示した実施の形態の操作部を示す説明図である。
【図３】図１に示した実施の形態における施錠時の縦断面図である。
【図４】図１に示した実施の形態における解錠時の縦断面図である。
【図５】図１に示した実施の形態におけるサムターンを解除した状態の解錠時の縦断面図である。
【図６】図１に示した実施の形態におけるサムターンを施錠した状態の解錠時の縦断面図である。
【図７】本発明における異なる実施の形態の使用状態を示す説明図である。
【図８】図７に示した実施の形態のサムターンを施錠した場合の施錠時の状態を示す縦断面図である。
【図９】図７に示した実施の形態のサムターンを解除した状態の施錠時の状態を示す縦断面図である。
【図１０】図７に示した実施の形態におけるレバーハンドルを用いて解錠した時の縦断面図である。
【図１１】図７に示した実施の形態における解除摘を用いて解錠した時の縦断面図である。
【図１２】従来例の使用状態を示す説明図である。
【図１３】図１２に示した従来例の施錠状態を示す縦断面図である。
【図１４】図１２に示した従来例の解錠状態を示す縦断面図である。
【発明を実施するための形態】
【００１８】
以下に、図面を参照しながら本発明を実施するための形態を説明する。
【００１９】
図１乃至図６は、本発明の好ましい実施の形態を示すものであり、ラッチ錠の部分については前記図１２乃至１４に示した従来例とほぼ同様であり、詳細については説明を省略する。
【００２０】
特に、本発明は、中心に形成した角形の取付孔８１に室内側の解除摘９を固着した角芯８２を嵌挿するとともに前記ラッチボルト３の後部に形成した係止プレート３２の前方側に前記レバーカム５の係合部５２に干渉することなしに係合する緊急解除用の係合部８３を外周に突出した解除摘レバー８を前記錠箱１内に回転可能に配置した点が従来のラッチ錠と異なるものであり、扉２における室内側に配置されたプレート１０に、上から順に解除摘９，レバーハンドル６、サムターンレバー７が直線上に配置されたものであるが、これらの配置位置は本発明を限定するものではない。
【００２１】
尚、図面中、符号１３は錠箱１内に配置されたラッチボルト３の摺動ガイド、符号１４はレバーカム５に巻回された復帰ばねである。
【００２２】
このような構成を有する本実施の形態は、図３および図４に示すように前記従来例の図１３及び図１４に示したと同様に、図３の施錠状態から室内側または室外側のレバーハンドル６を回転操作してレバーカム５を回転させることによりラッチボルト３をばね４の付勢力に抗して後退させ、先端のラッチヘッド３１を前板１から錠箱１内に没入させて、扉枠に配置した受け具から抜脱することにより解錠し、そのままの状態でレバーハンドル６を前方へ押すかまたは手前に引いて扉２を開放させるものである。
【００２３】
また、このラッチ錠は、トイレや個室、浴室などのように入室した後に施錠状態を確保する必要性から、施錠状態で室内側から図１に示したサムターンレバー７を回転操作して係止部７４を図３に点線で示す位置に回動してレバーカム５の回転を阻止することもでき
る。
【００２４】
このように本実施の形態は、通常は、前記ハンドルレバー６とサムターンレバー７を用いて従来のラッチ錠と同様にして使用することができるものである。
【００２５】
そして、室内側にいる状態で前記図３に示す施錠状態において、例えば突然の地震などのように何らかの理由によりレバーハンドル６が破損したり、使用が不可能となった際に、レバーハンドル６の代わりに室内側に配置されている解除摘９を回転操作して図５に示すように、解除摘レバー８を回転させてこの解除摘レバー８に設けられた係合部８３により係止プレート３２を介してラッチボルト３をばね４の付勢力に抗して後退させ、先端のラッチヘッド３１を前板１１から錠箱１内に没入させて、扉枠に配置した受け具から抜脱することにより解錠し、そのままの状態で扉を開放させることにより、閉じ込み状態から脱出することができる。
【００２６】
このとき、解除摘９によるラッチボルト３の後退はレバーカム５を回転させることなしに、一切、干渉することなしに行うことになる。従って、例えば図６に示したように、レバーカム５の回転を阻止するサムターンレバーの係止部７４が係止した状態であっても何ら支障なくラッチボルト３の後退を行ってラッチ錠を解錠することができるものである。
【００２７】
また、図７乃至１１図は本発明の異なる実施の形態を示すものであり、前記図１乃至図６に示した実施の形態が、扉２における室内側に配置されたプレート１０に、上から順に解除摘９，レバーハンドル６、サムターンレバー７が直線上に配置されたものであるが、本実施の形態では上から順に、サムターンレバー７１、レバーハンドル６、解除摘９が直線上に配置された点が異なり、常時使用頻度の多いサムターンレバー７を上方に配置して使い勝手をよくした点が異なる。
【００２８】
このような本実施の形態の基本的な考え方は前記図１乃至図６に示した実施の形態とほぼ同様な原理によるが、レバーハンドル６の回転操作により回転するレバーカム５に突出させた係合部５２で直接、ラッチボルト３の後部に形成した係止プレート３２を移動させるのではなく、前記鈎箱１内に配置した回転カム５５をレバーカム５と連結部材５８により連結して回転カム５５の外周に突出させた係合部５９を前記ラッチボルト３の前記係止プレート３２より前方に配置した係止プレート３４を後退させてラッチ錠を解錠するものである（図８乃至図１０を参照）。
【００２９】
また、前記実施の形態と同様に、鈎箱１内には、中心に形成した角形の取付孔８１に室内側の解除摘９を固着した角芯８２を嵌挿するとともに前記ラッチボルト３の後部に形成した係止プレート３２の前方側に前記回転カム５５の係合部５９に干渉することなしに係合する緊急解除用の係合部８３を外周に突出した解除摘レバー８がを前記錠箱１内に回転可能に配置されており、この解除摘レバー８は図１０に示すように、回転カム５５によるラッチボルト３の後退については何ら関与しない。
【００３０】
そして、前記図１乃至図６に示した実施の形態の時と同様に、図１１に示すように、解除摘９を回転操作して解除摘レバー８を回転させてラッチボルト３を係止プレート３２を介して後退させてレへーハンドル６を操作することなしにラッチ錠を解除することができるので、レバーハンドル６が損傷したり操作の不良などにより回転カム５５を回転させることができない場合非常の場合にも室内に閉じ込められることなく脱出することができる。
【符号の説明】
【００３１】
１  錠箱、２  扉、３  ラッチボルト、４  ばね、５  レバーカム、６  レバーハンドル
、７  サムターンレバー、８  解除摘レバー、９  解除摘、１１  前板、１２  取付板、３１  ラッチヘッド、３２  係止プレート、３４  係止プレート、５１  取付孔、５２  係合部、６１  ハンドル角芯、７１  取付孔、７２  レバー角芯、７４  係合部、８２  角芯、８３  係合部
【図１】
2013023896.tif 000003
【図２】
2013023896.tif 000004
【図３】
2013023896.tif 000005
【図４】
2013023896.tif 000006
【図５】
2013023896.tif 000007
【図６】
2013023896.tif 000008
【図７】
2013023896.tif 000009
【図８】
2013023896.tif 000010
【図９】
2013023896.tif 000011
【図１０】
2013023896.tif 000012
【図１１】
2013023896.tif 000013
【図１２】
2013023896.tif 000014
【図１３】
2013023896.tif 000015
【図１４】
2013023896.tif 000016